(57)【特許請求の範囲】
【請求項１】
音声を入力し音声信号として出力するマイク手段と、
キー操作又はボタンの押下によって入力を行う入力手段と、
前記入力手段からの入力に基づいて当該マイク手段から出力された音声信号を音声データとして記憶する記憶手段と、
前記入力手段からの入力に基づいて当該記憶手段に記憶された音声データを音声信号として出力する音声出力制御手段と、
前記記憶手段における音声データの記憶中に入力を行う静電容量の変化を感知する静電スイッチと、
当該静電スイッチからの入力に基づいて音声データの時間軸上の位置を示す位置情報を前記記憶手段に記憶する位置情報記憶手段とを備えることを特徴とするデータ記憶装置。
【請求項２】
音声を入力し音声信号として出力するマイク手段と、
キー操作またはボタンの押下によって入力を行う入力手段と、
前記入力手段からの入力に基づいて当該マイク手段から出力された音声信号を音声データとして記憶する記憶手段と、
前記入力手段からの入力に基づいて当該記憶手段に記憶された音声データを音声信号として出力する音声出力制御手段と、
前記記憶手段における音声データの記憶中に入力を行う受光量の変化を感知する光センサと、
当該光センサからの入力に基づいて音声データの時間軸上の位置を示す位置情報を前記記憶手段に記憶する位置情報記憶手段とを備えることを特徴とするデータ記憶装置。
【請求項３】
前記位置情報記憶手段は、前記静電スイッチからの第１の入力に基づいて音声データ部分の時間軸上の始点の位置を示す位置情報を前記記憶手段に記憶し、前記静電スイッチからの前記第１の入力の次の入力に基づいて前記音声データ部分の時間軸上の終点の位置を示す位置情報を前記記憶手段に記憶することを特徴とする請求項１に記載のデータ記憶装置。
【請求項４】
前記位置情報記憶手段は、前記光センサからの第１の入力に基づいて音声データ部分の時間軸上の始点の位置を示す位置情報を前記記憶手段に記憶し、前記光センサからの前記第１の入力の次の入力に基づいて前記音声データ部分の時間軸上の終点の位置を示す位置情報を前記記憶手段に記憶することを特徴とする請求項２に記載のデータ記憶装置。
【発明の詳細な説明】
【技術分野】
【０００１】
本発明は、データ記憶装置に係り、特に音声データの時間軸上の任意の位置にデータの区切り（以下、インデックスという。）を書き込む機能を持つデータ記憶装置に関する。
【背景技術】
【０００２】
従来のデータ記憶装置、例えばＩＣレコーダにおいては、会議やセミナーなどで、ユーザが録音途中に、音声データの任意の所望位置にインデックスを書き込むものがある。そして、ＩＣレコーダは、再生時には、書き込んだインデックスに基づいて音声データの中でユーザが再生を望む部分を検索し、検索した部分の音声データのみを選択的に再生することができるものがある。
【特許文献１】特開２００４−２３５７７号公報
【発明の開示】
【発明が解決しようとする課題】
【０００３】
このようなＩＣレコーダにおいて、録音中に、音声データの任意の所望位置へのインデックスの書き込みは、ＩＣレコーダに設けられたインデックスボタンの押下によって行われていた。ＩＣレコーダに設けられたインデックスボタンの押下の際、ユーザの指とインデックスボタンとの接触、及びインデックスボタンとインデックスボタンを保持する周辺部分との接触により、ＩＣレコーダの周辺に接触音が発生していた。そして、ＩＣレコーダに内蔵されたマイクは、録音中にインデックスボタンの押下に伴う接触音をノイズとして集音し、ユーザが必要とする音声にこのようなノイズが重畳されて録音されてしまう。そして、インデックスボタンとマイクが近くに設けてある場合には、接触音は大きく集音されるので、本来録音したい音声がノイズに掻き消されてしまう虞があった。
【０００４】
本発明は、このような問題に鑑みてなされたもので、録音している音声にノイズを重畳させることなくインデックスを記憶することを目的とする。
【課題を解決するための手段】
【０００５】
請求項１に記載のデータ記憶装置は、音声を入力し音声信号として出力するマイク手段と、当該マイク手段から出力された音声信号を音声データとして記憶する記憶手段と、当該記憶手段に記憶された音声データを音声信号として出力する音声出力制御手段と、非接触で入力を行う非接触入力手段と、当該非接触入力手段からの入力に基づいて音声データの時間軸上の位置を示す位置情報を前記記憶手段に記憶する位置情報記憶制御手段とを備えることを特徴とする。
【０００６】
請求項２に記載の発明は、請求項１に記載のデータ記憶装置において、前記非接触入力手段は、静電容量の変化を感知する静電スイッチであることを特徴とする。
【０００７】
請求項３に記載の発明は、請求項１に記載のデータ記憶装置において、前記非接触入力手段は、受光量の変化を感知する光センサであることを特徴とする。
【発明の効果】
【０００８】
本発明のデータ記憶装置によれば、位置情報記憶手段による記憶手段への位置情報の記憶は、非接触入力手段への入力に基づいて行われる。即ち、位置情報の記憶のための入力操作をノイズとなる接触音を発生させることなく行うことができる。従って、録音している音声にノイズを重畳させることなく位置情報の記憶が可能となる。  
【実施例】
【０００９】
本実施例に係るＩＣレコーダの概略構成について図１を用いて説明する。
【００１０】
制御部１は、操作部２のユーザによる操作に応じて、エンコード／デコードＩＣ３とメモリ４間のデジタル音声信号の入出力の制御,エンコード／デコードＩＣ３におけるエンコード処理又はデコード処理の制御,表示部５への音声信号に関する情報の出力,操作部２からの制御信号の入力を行う。
【００１１】
また、この制御部１は、スピーカ１０へ、又はヘッドフォン１１が接続されるジャック１３への音声信号の出力を制御する音声出力制御手段として機能する音声出力制御回路１a、内蔵マイク部８から入力される音声,チューナ１２から入力される音声,外部入力端子１４から入力される音声に関する音声データのメモリ４への記憶を制御する録音制御回路１b、後述の静電スイッチ１５からの入力に基づいて位置情報であるインデックス及びこのインデックスが音声データの先頭から何番目に付されたものであるのかを示すインデックス番号をメモリ４に記憶する位置情報記憶手段として機能するインデックス記憶回路１cとを備える。
【００１２】
内蔵マイク部８は、外部の音声を入力し、この音声をＡ／Ｄコンバータ６にアナログ音声信号として出力するものである。
【００１３】
ジャック１３は、ヘッドフォン１１のプラグを挿入する接続端子である。
【００１４】
チューナ１２は、ＦＭ放送などの音声信号を受信するものであり、受信したＦＭ放送などの音声信号をＡ／Ｄコンバータ６に出力する。
【００１５】
外部入力端子１４は、図示しない外部マイク等との接続により、外部の音声を入力し、Ａ／Ｄコンバータ６にアナログ音声信号として出力するものである。
【００１６】
Ａ／Ｄコンバータ６は、アナログ音声信号をデジタル音声信号に変換するものであり、内蔵マイク部８,外部接続端子１４,チューナ１２のいずれかから入力したアナログ音声信号をデジタル音声信号に変換後、エンコード／デコードＩＣ３に出力する。
【００１７】
エンコード／デコードＩＣ３は、デジタル音声信号の符号化及び復号化を行うものであり、制御部１の制御によって、Ａ／Ｄコンバータ６から入力したデジタル音声信号を符号化後、メモリ４に出力する。また、制御部１の制御によって、メモリ４から出力されたデジタル音声信号を入力し、符号化されたデジタル音声信号を復号した後、Ｄ／Ａコンバータ７に出力する。
【００１８】
メモリ４は、音声データであるデジタル音声信号を記憶する記憶手段として機能し、制御部１の制御によって、エンコード／デコードＩＣ３から符号化して出力されたデジタル音声信号の記憶,記憶した符号化されたデジタル音声信号のエンコード／デコードＩＣ３への出力,録音時に音声データの所望の任意の区間の始点と終点を示すインデックスの記憶を行う。
【００１９】
Ｄ／Ａコンバータ７は、デジタル音声信号をアナログ音声信号に変換するものであり、エンコード／デコードＩＣ３から入力したデジタル音声信号をアナログ音声信号に変換した後、オーディオアンプ９に出力する。
【００２０】
オーディオアンプ９は、アナログ音声信号を増幅するものであり、Ｄ／Ａコンバータ７で変換されたアナログ音声信号を増幅後、当該増幅したアナログ音声信号をスピーカ１０又はジャック１３に出力する。
【００２１】
スピーカ１０は、オーディオアンプ９において増幅されたアナログ音声信号を音声として出力するものである。
【００２２】
ヘッドフォン１１は、スピーカ１０と同様に、オーディオアンプ９において増幅されたアナログ音声信号を音声として出力するものである。尚、ヘッドフォン１１はイヤホンであっても良い。
【００２３】
操作部２は、ユーザによる図示しないキーやボタンの押下によって制御部１へ制御信号を出力することにより、ユーザが所望するＩＣレコーダの動作制御を可能にするものである。
【００２４】
表示部５は、音声データに関する情報を表示するものである。
【００２５】
静電スイッチ１５は、非接触入力手段として機能し、図２に示すようにＩＣレコーダの前面に臨んで配置され、後に詳述する静電スイッチ入力回路１６を備え、ＩＣレコーダ本体に接触することなく、ユーザによりインデックスの記憶のための入力操作があった旨の信号であるインデックス入力信号をインデックス記憶回路１cに出力するものである。
【００２６】
ここで、静電スイッチ入力回路１６の具体的構成について、図３を用いて説明する。
【００２７】
この静電スイッチ入力回路１６は静電スイッチ検知回路１７とインデックス信号出力回路２０を備えている。
【００２８】
静電スイッチ検知回路１７は、一対の電極を一平面上に配置しており、この電極として環状の外側電極１８とこの外側電極１８に囲まれた内側電極１９が設けられている。ここで、この静電スイッチ検知回路１７を備える静電スイッチ入力回路１６に、人体や金属など導伝性であって、静電容量のある物体が近接すると、外側電極１８と内側電極１９との間の静電磁界に変化が生じる。そして、この静電磁界の変化に伴ってこの外側電極１８と内側電極１９との間の静電容量が変化する。
【００２９】
インデックス信号出力回路２０は、後に詳述するが、静電スイッチ検知回路１７の外側電極１８と内側電極１９との間の静電容量の変化を検知し、この検知結果に応じてインデックス記憶回路１cにインデックス入力信号を出力する。
【００３０】
次に、録音時にユーザが所望する音声データの位置に書き込まれるインデックスについて図４、図５を用いて説明する。
【００３１】
本実施例におけるメモリ４は、図４に示すように、音声データを記憶する音声データ領域と、インデックスを記憶するインデックス領域から成る。このインデックス領域にあるインデックスは、音声データ領域にある音声データとリンクしており、音声データの時間軸上の位置を表すものである。
【００３２】
このインデックス領域には、インデックス記憶回路１cによって、図５に示すようなインデックス、即ちインデックスが音声データの先頭から何番目に付されたものであるのかを示すインデックス番号と、このインデックス番号に対応する音声データ部分の始点と終点の位置情報（インデックス位置絶対バイト数（音声データの先頭からのバイト数）で示される。）が記録される。
【００３３】
尚、１つのインデックスにおける始点と終点は、静電スイッチ１５からの連続する２回の入力に基づいて指定・入力される。例えば、インデックスＮo.１の記憶においては、静電スイッチ１５からの最初の入力に基づいて音声データ部分の始点の位置情報（20バイト）が、続く入力に基づいて音声データ部分の終点の位置情報（50バイト）がインデックス記憶回路１cによって記憶される。  
【００３４】
また、このインデックスに対応する音声データ部分の再生は、例えば、次のようにして行われる。
【００３５】
初めに、操作部２に設けられた図示しない再生モードキーをユーザが押下することによりインデックス再生モードが選択される。その後、例えばＮo.１のインデックスが選択されると、操作部２に設けられた図示しない再生ボタンがユーザによって押下される。そして、音声出力制御回路１aが、インデックス領域から    図５に示すＮo.１のインデックスの始点の位置情報（20バイト）とＮo.１のインデックスの終点の位置情報（50バイト）を読み込んだ後、この始点の位置から終点の位置までの間に対応する領域の音声データ部分を再生する。
【００３６】
次に、本実施例に係るＩＣレコーダにおける録音中のインデックスの書き込み処理について図６を用いて説明する。
【００３７】
例えば、ユーザの指がＩＣレコーダ前面に臨んで配置された静電スイッチ１５に近接すると、静電スイッチ入力回路１６の静電スイッチ検知回路１７を構成する外側電極１８と内側電極１９との間の静電容量が変化する。この外側電極１８にはパルス電圧が印加されており、このような静電容量の変化によって、外側電極１８に囲まれた内側電極１９に現れるパルスの波高値Ａの値が大きくなる。
【００３８】
そして、インデックス信号出力回路２０は、この内側電極に現れるパルスの波高値Ａを検知し、このパルスの波高値Ａとインデックス信号出力回路２０に閾値として予め設定しておいた波高値Ｘを比較する（Ｓ１）。
【００３９】
ここで、内側電極に現れるパルスの波高値Ａが予め設定しておいた波高値Ｘより大きい場合（Ｓ１でＹＥＳ）、インデックス信号出力回路２０はインデックス記憶回路１cにインデックス入力信号を出力する（Ｓ２）。そして、インデックス入力信号を入力したインデックス記憶回路１cは、インデックス番号、及びこのインデックス番号に対応して音声データの時間軸上の位置のうちユーザの指が静電スイッチ１５に近接した時に相当する位置情報を示すインデックスをメモリ４のインデックス領域に記憶する（Ｓ３）。
【００４０】
尚、インデックス記憶回路１cによるメモリ４のインデックス領域へのインデックスの記憶において、まずインデックス領域に既にインデックスが記憶されているか否かをチェックし、未だインデックス番号が記憶されていない場合にはインデックス番号をＮo.１とし、既にインデックスが記憶されている場合には記憶されているインデックスのうち最大のインデックス番号に＋１したものを、新たに書き込むインデックス番号とする。
【００４１】
本実施例のＩＣレコーダによれば、インデックス記憶回路１cによるメモリ４へのインデックスの記憶は、静電スイッチ１５への入力に基づいて行われる。      即ち、インデックスの記憶のための入力操作をノイズとなる接触音を発生させることなく行うことができる。従って、録音している音声にノイズを重畳させることなくインデックスの記憶が可能となる。
【００４２】
他の実施例においては、上述の実施例の場合と非接触入力手段の具体的構成が相違する。つまり、上述の実施例においては、図１に示すように非接触入力手段として静電スイッチ１５が用いられているが、他の実施例においては、図７に示すように非接触入力手段として光センサ２１が用いられる。
【００４３】
以下、他の実施例に係るＩＣレコーダについて説明するが、上述の実施例に係るＩＣレコーダの構成と同様の構成についての説明は省略する。
【００４４】
図６に示す光センサ２１は、非接触入力手段として機能し、ＩＣレコーダの前面に臨んで配置され、後に詳述する光センサ入力回路２２を備え、ＩＣレコーダ本体に接触することなく、ユーザによりインデックスの記憶のための入力操作があった旨の信号であるインデックス入力信号をインデックス記憶回路１cに出力するものである。
【００４５】
ここで、光センサ入力回路２２の具体的構成について、図８を用いて説明する。
【００４６】
この光センサ入力回路２２は、光センサ検知回路２３と弁別回路２４を備える。
【００４７】
光センサ検知回路２３は、発光素子２５と受光素子２６を有する。発光素子２５は光センサ２１に接近した物体に光を照射するためのものであり、受光素子２６はこの発光素子２５が発した光がこの物体に当たって反射した光を受光するためのものである。
【００４８】
弁別回路２４は、後に詳述するが、受光素子２６が受光した光の量を検出し、この検出結果に応じてインデックス記憶回路１cにインデックス入力信号を出力するものである。
【００４９】
次に、他の実施例に係るＩＣレコーダにおける録音中のインデックスの書き込み処理について図９を用いて説明する。
【００５０】
例えば、ユーザの指がＩＣレコーダ前面に臨んで配置された光スイッチ２１に近接すると、光スイッチ２１を構成する光センサ検知回路２３の受光素子２６は、光センサ検知回路の発光素子２５が発した光がユーザの指に当たって反射した光を受光する。このように受光素子２６がユーザの指に当たって反射した光を受光すると、受光した光の量に比例した電流が受光素子２６に発生する。
【００５１】
そして、弁別回路２４は、この受光素子２６に発生した電流の電流値Ｂを検知し、この電流値と弁別回路２４に閾値として予め設定しておいた電流値Ｙを比較する（Ｓ１１）。
【００５２】
ここで、受光素子２６から発生する電流の電流値Ｂが予め設定しておいた電流値Ｙより大きい場合（Ｓ１１でＹＥＳ）、弁別回路はインデックス記憶回路１cにインデックス入力信号を出力する（Ｓ１２）。そして、インデックス入力信号を入力したインデックス記憶回路１cは、インデックス番号、及びこのインデックス番号に対応して音声データの時間軸上の位置のうちユーザの指が光スイッチ２１に近接した時に相当する位置情報を示すインデックスをメモリ４に記憶する（Ｓ１３）。
【００５３】
本実施例のＩＣレコーダによれば、インデックス記憶回路１cによるメモリ４へのインデックスの記憶は、光センサ２１への入力に基づいて行われる。  即ち、インデックスの記憶のための入力操作をノイズとなる接触音を発生させることなく行うことができる。従って、録音している音声にノイズを重畳させることなくインデックスの記憶が可能となる。
【図面の簡単な説明】
【００５４】
【図１】本発明の一実施例に係るＩＣレコーダの概略構成を示すブロック図である。
【図２】本発明の一実施例に係るＩＣレコーダ本体を示す斜視図である。
【図３】静電スイッチの具体的構成を模式的に示すブロック図である。
【図４】本発明の一実施例に係るＩＣレコーダを構成するメモリ内の音声データ領域とインデックス領域を示した図である。
【図５】本発明の一実施例に係るＩＣレコーダを構成するメモリ４に記憶されるインデックスのデータ構造を示した図である。
【図６】本発明の一実施例に係るＩＣレコーダにおける録音中のインデックスの書き込み処理を示すフローチャートである。
【図７】本発明の他の実施例に係るＩＣレコーダの概略構成を示すブロック図である。
【図８】光センサの具体的構成を模式的に示すブロック図である。
【図９】本発明の他の実施例に係るＩＣレコーダにおける録音中のインデックスの書き込み処理を示すフローチャートである。
【符号の説明】
【００５５】
８  内蔵マイク部
４  メモリ
１a 音声出力制御回路
１５  静電スイッチ
２１  光センサ
１c  インデックス記憶回路
【図１】
0004738074.tif 000002
【図２】
0004738074.tif 000003
【図３】
0004738074.tif 000004
【図４】
0004738074.tif 000005
【図５】
0004738074.tif 000006
【図６】
0004738074.tif 000007
【図７】
0004738074.tif 000008
【図８】
0004738074.tif 000009
【図９】
0004738074.tif 000010